(57)【要約】【課題】枠体の取付精度を向上させた埋込型照明器具を提供する。【解決手段】埋込型照明器具Ａは、下面が開口する略箱状のボディ１と、下面が開口する略箱状に形成され片口金ランプ９から照射された光を反射させる反射板３と、上面及び下面が開口する略角筒状の枠体４と、枠体４の下面側に配置される透光パネル５とを備えている。ボディ１の対向する２つの側面にはサブボディ２、２が取付けられており、各サブボディ２には枠体４を係止するための調整金具１１がそれぞれ取付けられている。また、枠体４には調整金具１１に係止するＶ字ばねが設けられており、このＶ字ばねの係止ばね部１４ｂ、１４ｂを調整金具１１の係止溝１１ｅ、１１ｅにそれぞれ弾性係止させることによって、枠体４が器具本体２０に取付けられる。【選択図】図１
2008159474.tif 000002
【特許請求の範囲】
【請求項１】
造営材に設けた埋込孔を介して当該造営材の表面側に一部を露出させた状態で配設される枠体と、当該枠体を係止する係止部を具備し前記造営材の裏面側に配設される器具本体とを備え、当該器具本体において前記係止部を前記造営材の厚み方向に移動自在に設けたことを特徴とする埋込型照明器具。
【請求項２】
前記枠体は、前記係止部と係止する弾性係止部材を備え、前記係止部は、前記造営材に沿う方向に配置された一対の係止片を有し、前記弾性係止部材は、一端側で連結されるとともに他端側がＶ字状に延出し前記両係止片と係止する一対の側片を有し、当該両側片の連結部位において前記弾性係止部材を前記枠体に回動自在に取着したことを特徴とする請求項１記載の埋込型照明器具。
【発明の詳細な説明】
【技術分野】
【０００１】
本発明は、埋込型照明器具に関するものである。
【背景技術】
【０００２】
従来より、天井材に設けた埋込孔を通して埋込配設される埋込型照明器具があった（例えば特許文献１参照）。この埋込型照明器具は、下面に開口部を有する横長箱状の器具本体を備えており、器具本体の開口部端縁には外側に向かって延出する鍔部が全周に渡って形成されている。また、器具本体の上面には、配光を制御する略Ｖ字状の折曲部が形成されており、この折曲部を間にして幅方向両端側には、各１本のランプがそれぞれ配設されている。さらに、器具本体の開口部近傍には、Ｖ字状の反射板と３つの平板とを格子状に組合わせた遮光ルーバーが取付けられており、長手方向に沿う両側面には、鍔部との間で天井材を挟持するための取付金具がそれぞれ設けられている。
【０００３】
この埋込型照明器具を天井面に取付ける場合には、天井面に形成された埋込孔に器具本体を挿入し、鍔部と天井材の下面とが当接するまで埋め込むと、器具本体の挿入に合わせて取付金具に設けた押さえ金具が下方に移動しながら外側に拡がる。そして、押さえ金具が天井材の上面に当接すると、押さえ金具と鍔部との間で天井材を挟持した状態で器具本体が天井面に取付けられる。
【特許文献１】特開２０００−３０６４１９号公報（第３頁−第５頁、及び、第１図〜第８図）
【発明の開示】
【発明が解決しようとする課題】
【０００４】
上述の特許文献１に示した埋込型照明器具では、押さえ金具との間で天井材を確実に挟持するために、鍔部の幅を大きく形成する必要があり、外観上好ましくなかった。また、器具本体を天井材の表面側に露出しない状態で配置する場合には、透光パネルを取付けるための枠体を器具本体に取付ける必要がある。この場合、器具本体は吊ボルト等で建物の躯体に固定することになるが、作業が煩雑でありまた器具本体の取付精度を確保できないので、枠体の取付精度も確保できず、依然として外観上好ましくなかった。さらに、天井材の厚みは仕様によって異なるものであり、天井材の厚みを踏まえた上で枠体の取付精度を確保する必要があった。
【０００５】
本発明は上記問題点に鑑みて為されたものであり、その目的とするところは、枠体の取付精度を向上させた埋込型照明器具を提供することにある。
【課題を解決するための手段】
【０００６】
請求項１の発明は、造営材に設けた埋込孔を介して当該造営材の表面側に一部を露出させた状態で配設される枠体と、当該枠体を係止する係止部を具備し造営材の裏面側に配設される器具本体とを備え、当該器具本体において係止部を造営材の厚み方向に移動自在に設けたことを特徴とする。
【０００７】
請求項２の発明は、枠体は、係止部と係止する弾性係止部材を備え、係止部は、造営材に沿う方向に配置された一対の係止片を有し、弾性係止部材は、一端側で連結されるとともに他端側がＶ字状に延出し両係止片と係止する一対の側片を有し、当該両側片の連結部位において弾性係止部材を枠体に回動自在に取着したことを特徴とする。
【発明の効果】
【０００８】
請求項１の発明によれば、器具本体において枠体を係止する係止部を造営材の厚み方向に移動自在に設けているので、器具本体に対する枠体の取付位置を造営材の厚み方向に微調整することができ、枠体の取付精度を確保することができる。従って、造営材の厚みや吊ボルト等による固定作業の精度に関わらず枠体を精度よく位置決めできるので、埋込型照明器具を造営材に取付けた際の外観を向上させることができるという効果がある。特に、枠体において造営材の表面側の端縁に外側に向かって延出する鍔部を設けていない場合には、枠体の端面を造営材の表面側の面に略面一にすることができるという効果もある。
【０００９】
請求項２の発明によれば、弾性係止部材が枠体に回動自在に取着されており、枠体を造営材に沿った方向に移動させると、両側片の連結部位が枠体の移動方向にスライドするので、両側片は枠体の移動方向と反対側に傾き、傾いた状態で両側片が対応する係止片とそれぞれ係止する。従って、枠体を器具本体に取付けた後であっても、枠体の位置を造営材に沿った方向に微調整することができるという効果がある。
【発明を実施するための最良の形態】
【００１０】
本発明の実施形態を図１〜図１１に基づいて説明する。本発明に係る埋込型照明器具Ａは、図３及び図９に示すように造営材（例えば、下地材１６及び仕上げ天井１７）に設けた埋込孔１８を通して天井裏に配設され、吊ボルト金具７を介して建物の躯体２１に設けた吊ボルト２２に固定される。
【００１１】
この埋込型照明器具Ａは、図１〜図３に示すように下面が開口する略箱状のボディ１と、下面が開口する略箱状に形成され片口金ランプ９から照射された光を反射させる反射板３と、上面及び下面が開口する略角筒状の枠体４と、枠体４の下面側に配置される透光パネル５とを備えている。
【００１２】
まず、ボディ１について図１〜図３に基づいて説明する。ボディ１は、下面が開口するとともに上面が略十字状に開口する略箱状に形成されており、ボディ１の対向する２つの側面にはサブボディ２、２がそれぞれ取付けられている。また、ボディ１の残りの側面のうち一方側の内側面には、片口金ランプ９を装着する複数（図２では２個）のランプソケット８が、片口金ランプ９が接続される接続面８ａを内側に向けた状態でそれぞれ固定されている。さらに、ボディ１においてランプソケット８の外側位置には、片口金ランプ９に電源を供給するための点灯回路１０が取付けられた点灯回路取付台６がボディ１に回動自在に取着されており、点灯回路１０と各ランプソケット８とが図示しないリード線を介してそれぞれ電気的に接続されている。
【００１３】
次に、サブボディ２について図１に基づいて説明する。サブボディ２は、後述する調整金具（係止部）１１が取付けられる略矩形板状の主片２ａを有しており、この主片２ａの下端側には外側に向かって延出する鍔部２ｃが設けられている。また、主片２ａの上端側には内側に向かって延出する取付片２ｂが設けられており、サブボディ２は取付片２ｂを介してボディ１に取付けられる。さらに、サブボディ２の主片２ａには、調整金具１１の係止片１１ｄ、１１ｄを上下方向に移動自在に挿通させる開口部２ｄが設けられており、開口部２ｄを間にして左右方向両側には調整金具１１を主片２ａに取付けるための取付ねじ１９を上下方向に移動自在に挿通させる長孔２ｅ、２ｅがそれぞれ設けられている。また、各長孔２ｅ、２ｅの左右方向両端寄りには、調整金具１１の位置決め片１１ｂ、１１ｂを上下方向に移動自在に挿通させるスリット２ｆ、２ｆがそれぞれ設けられている。さらに、主片２ａの右側の下方位置には、図示しない取付金具が取付けられ取付金具の位置を上下方向に調整する略Ｔ字状のスリット２ｇが設けられており、例えば仕上げ天井１７を施工する前にボディ１及びサブボディ２を下地材１６に固定する場合、取付金具をスリット２ｇに沿って上下方向に調整して鍔部２ｃと取付金具との間で下地材１６を挟持させると、ボディ１及びサブボディ２が下地材１６に固定される。ここに、ボディ１とサブボディ２とで器具本体２０が構成されている。
【００１４】
ここで、本発明に係る調整金具１１について図５に基づいて説明する。調整金具１１は、横長板状の取付主片１１ａを有しており、取付主片１１ａの長手方向両端側からは位置決め片１１ｂ、１１ｂが取付主片１１ａと直交する方向であって同一の方向にそれぞれ折曲形成されている。また、取付主片１１ａの上方には、取付副片１１ｃが一体に形成されており、取付副片１１ｃの長手方向両端側からは係止片１１ｄ、１１ｄが位置決め片１１ｂと略平行であって同一の方向にそれぞれ折曲形成されている。さらに、各係止片１１ｄ、１１ｄには、後述するＶ字ばね（弾性係止部材）１４の係止ばね部（側片）１４ｂ、１４ｂと係止する係止溝１１ｅ、１１ｅがそれぞれ形成されている。また、主片１１ａにおいて長手方向両端寄りには、取付ねじ１９が螺合するねじ孔１１ｆが各１個ずつ設けられている。
【００１５】
次に、調整金具１１をサブボディ２に取付ける方法について、図１に基づいて説明する。まず、位置決め片１１ｂ及び係止片１１ｄをサブボディ２側に向けた状態で調整金具１１をサブボディ２に外側から近づけ、両係止片１１ｄ、１１ｄを開口部２ｄに挿通するとともに、各位置決め片１１ｂを対応するスリット２ｆに挿通する。そして、内側から取付ねじ１９を各長孔２ｅに挿通してねじ孔１１ｆに螺合させると、調整金具１１がサブボディ２に取付けられる。この調整金具１１は、取付ねじ１９を緩めることで上下方向にスライドさせることができるので、上下方向における調整金具１１の位置を調整することができる。
【００１６】
ここで、吊ボルト金具７について図１に基づいて説明する。吊ボルト金具７は、略矩形板状の主片７ａを有しており、主片７ａの長手方向両端側には各サブボディ２に固定するための固定片７ｂ、７ｂが一体に設けられている。また、主片７ａの略中央位置には、吊ボルト２２のねじ部が螺合するねじ孔７ｄを有する回転部７ｃが主片７ａに対して回動自在に取着されており、この回転部７ｃを回転させることによって、主片７ａ及び両固定片７ｂ、７ｂを回転させることなく吊ボルト金具７の上下方向の位置を調整することができる。
【００１７】
次に、反射板３について図１〜図３に基づいて説明する。反射板３は、金属製であって下面が開口する略箱状に形成されており、開口端縁には外側に向かって延出する鍔部３ａが略全周に渡って形成されている。また、反射板３の側面においてランプソケット８に対応する部位には、ランプソケット８を挿通するための複数（図２では２個）の挿通孔３ｂが設けられている。この反射板３は、例えばねじ等を用いてボディ１の上面に固定される。
【００１８】
さらに、透光パネル５について図７に基づいて説明する。透光パネル５は、例えば乳白色のアクリル素材であって光拡散性を有しており、図７（ａ）に示すように略矩形板状に形成されている。この透光パネル５は、薄肉板状の平面部５ｄを有しており、平面部５ｄの外縁には平面部５ｄに比べて厚みが厚い肉厚部５ｂが全周に渡って一体に形成されている。このように、平面部５ｄの外縁に肉厚部５ｂを形成することによって、透光パネル５を補強することができるので、平面部５ｄの厚みを薄くすることができ、光透過性を向上させることができる。また、平面部５ｄと肉厚部５ｂとの境界部分には、図７（ｂ）に示すように平面部５ｄから肉厚部５ｂにかけてその厚みが曲線的に漸増する肉盛部５ｃが設けられている。さらに、透光パネル５において対向する２つの肉厚部５ｂ、５ｂの略中央位置には、上方に向かって突出する係止片５ａ、５ａがそれぞれ設けられており、これらの係止片５ａの先端両側には側方に突出し下端部に係止部５ｆ、５ｆを有する係止爪５ｇ、５ｇが一体に形成されている。ここに、係止片５ａの先端部位及び両係止爪５ｇ、５ｇで後述する規制部材１５に当接する支点切替片５ｅが構成されている。
【００１９】
次に、枠体４について図１〜図４及び図６に基づいて説明する。枠体４は、上面及び下面が開口する略角筒状に形成されており、枠体４において対向する２つの側面部４ｂ、４ｂには図４に示すように開口部４ａ、４ａがそれぞれ設けられている。また、各開口部４ａの上方位置には、図６に示すように後述する取付金具１２を固定するための固定部４ｃが内側に向かって凹設されており、固定部４ｃには取付金具１２を固定する際に取付ねじ（図示せず）が螺合するねじ孔４ｄが２個設けられている。
【００２０】
ここで、取付金具１２について図６及び図８に基づいて説明する。取付金具１２は、横長であって略矩形板状の取付片１２ａを有しており、取付片１２ａの幅方向一端側には後述するＶ字ばね１４が取付けられた取付リング１３を固定するための固定孔１２ｇが設けられている。また、取付片１２ａの幅方向他端側からは支持片１２ｂが取付片１２ａと直交する方向に折曲形成されており、さらに支持片１２ｂの長手方向両端側からは一対のパネル保持ばね１２ｃ、１２ｃが取付片１２ａと反対方向にそれぞれ折曲形成されている。各パネル保持ばね１２ｃは、中間部が両端部に比べて外側方向に突出する形状に形成された支点切替ばね片１２ｊをそれぞれ有しており、この支点切替ばね片１２ｊの下端側には外側方向に突出し、後述する規制部材１５と係止する係止面１２ｄが一体に形成されている。さらに、透光パネル５の係止部５ｆと係止する係止面１２ｈを有する略く字状のパネル係止片１２ｅが、係止面１２ｄから延出し一体に折曲形成されている。また、取付片１２ａには、枠体４の固定部４ｃに設けたねじ孔４ｄに対応する部位にねじ挿通孔（図示せず）が設けられており、取付金具１２を取付ねじ（図示せず）を用いて枠体４の外側から固定部４ｃに取付けると、図６に示すようにパネル保持ばね１２ｃ及び規制部材１５が開口部４ａを臨んで配置される。
【００２１】
次に、規制部材１５について図６及び図８に基づいて説明する。規制部材１５は、下面が開口する断面コ字状に形成されており、上面において両端側にはパネル保持ばね１２ｃ、１２ｃの係止面１２ｄ、１２ｄと係止する係止部１５ｂ、１５ｂがそれぞれ設けられている。また、規制部材１５の上面において略中央位置には、透光パネル５の支点切替片５ｅと当接する当接部１５ａが設けられており、この当接部１５ａと各係止部１５ｂ、１５ｂとの間には、挿通孔１５ｃ、１５ｃがそれぞれ設けられている。そして、各パネル保持ばね１２ｃを対応する挿通孔１５ｃにそれぞれ挿通して係止部１５ｂを係止面１２ｄに係止させると、両パネル保持ばね１２ｃ、１２ｃを内側に撓めた状態で、規制部材１５が両パネル保持ばね１２ｃ、１２ｃに保持される。
【００２２】
さらに、本発明に係るＶ字ばね１４について図６に基づいて説明する。Ｖ字ばね１４は、コイル状に曲成された基部１４ａを有しており、この基部１４ａの両端部からは弾性を有する一対の係止ばね部１４ｂ、１４ｂが、略Ｖ字状に延出している。このＶ字ばね１４は、基部１４ａにおいて取付リング１３に回動自在に取付けられており、この取付リング１３は、例えばねじ等を用いて取付金具１２の取付片１２ａに取付けられる。
【００２３】
ここで、枠体４を器具本体２０に取付ける手順について図３及び図４に基づいて説明する。まず、Ｖ字ばね１４の係止ばね部１４ｂ、１４ｂを互いに近づく方向に撓めた状態で、枠体４の側面部４ｂの上端面が調整金具１１の両位置決め片１１ｂ、１１ｂに当接するまで枠体４を上方に押し上げる。そして、側面部４ｂの上端面が両位置決め片１１ｂ、１１ｂに当接した状態で係止ばね部１４ｂ、１４ｂから手を離すと、係止ばね部１４ｂ、１４ｂが拡開し、係止溝１１ｅ、１１ｅとそれぞれ弾性係止し、枠体４が器具本体２０に取付けられる。尚、枠体４は、係止ばね部１４ｂ、１４ｂの弾性力によって係止溝１１ｅ、１１ｅに係止しているだけなので、枠体４を器具本体２０から取り外す場合には、枠体４を下側に引っ張るだけでよく、簡単に取り外すことができる。
【００２４】
次に、枠体４に透光パネル５を着脱する手順について図８に基づいて説明する。まず、取付ける手順について図８（ａ）に基づいて説明する。最初に、規制部材１５を両パネル保持ばね１２ｃ、１２ｃに沿って下側にスライドさせて、係止部１５ｂ、１５ｂをそれぞれ係止面１２ｄ、１２ｄに係止させる。この時、規制部材１５が支点切替ばね片１２ｊ、１２ｊの突出部位を越えると、パネル保持ばね１２ｃ、１２ｃがばね反力により拡開するので、規制部材１５が下側に押し下げられ係止部１５ｂ、１５ｂが係止面１２ｄ、１２ｄとそれぞれ係止する。尚、この状態において各パネル保持ばね１２ｃは、互いに近づく方向に撓められた状態、すなわち内側に弾性付勢された状態で保持されている。次に、透光パネル５を枠体４の下側から近づけると、透光パネル５の支点切替片５ｅによって両パネル係止片１２ｅ、１２ｅが互いに離れる方向に弾性付勢された状態で押し拡げられる。さらに、透光パネル５を押し込むと、支点切替片５ｅが両パネル係止片１２ｅ、１２ｅを通過するので、両パネル係止片１２ｅ、１２ｅがばね反力によって元の位置に戻り、支点切替片５ｅの係止部５ｆ、５ｆがそれぞれ係止片１２ｅ、１２ｅの係止面１２ｈ、１２ｈと係止して、透光パネル５が枠体４に取付けられる。この時、規制部材１５は支点切替片５ｅと当接しておらず、係止部１５ｂ、１５ｂがそれぞれ係止面１２ｄ、１２ｄと係止した状態で保持されている。
【００２５】
さらに、取り外す手順について図８（ｂ）に基づいて説明する。透光パネル５が枠体４に取付けられた状態からさらに透光パネル５を押し込むと、支点切替片５ｅが規制部材１５の当接部１５ａに当接し、規制部材１５が押し上げられる。そして、規制部材１５が両パネル保持ばね１２ｃ、１２ｃに沿って上側にスライドし支点切替ばね片１２ｊ、１２ｊの突出部位を越えると、パネル保持ばね１２ｃ、１２ｃがばね反力により拡開するので、規制部材１５が上側に押し上げられ係止部１５ｂと係止面１２ｄとの係止が外れた状態で保持される。この状態においてパネル保持ばね１２ｃ、１２ｃは、ばね反力によって互いに離れる方向に拡開するので、係止部５ｆと係止面１２ｈとの係止が外れ、透光パネル５を枠体４から取り外すことができる。
【００２６】
次に、下地材１６及び仕上げ天井１７が施工された後に埋込型照明器具Ａを取付ける場合の施工手順について図３、図９及び図１０に基づいて説明する。ここに、下地材１６と仕上げ天井１７とで造営材が構成されている。まず、下地材１６及び仕上げ天井１７の厚みに応じて、調整金具１１の位置を調整する。次に、吊ボルト金具７を吊ボルト２２に取付け、点灯回路取付台６を上側に回動させた状態で器具本体２０を埋込孔１８を通して下地材１６に載せ、さらに点灯回路取付台６を下側に回動させて元の位置に戻す。そして、下側から回転部７ｃを回転させて吊ボルト金具７の上下方向の位置をサブボディ２の取付片２ｂの位置に合わせ、取付ねじ（図示せず）を用いて吊ボルト金具７を取付片２ｂに固定する。さらに、下側から回転部７ｃを回転させて器具本体２０を下地材１６に密着させると、図９（ａ）に示すように器具本体２０の取付けが完了する。次に、Ｖ字ばね１４の係止ばね部１４ｂ、１４ｂを互いに近づく方向に撓めた状態で枠体４を埋込孔１８を通して下側から挿通し、係止ばね部１４ｂ、１４ｂをそれぞれ調整金具１１の係止溝１１ｅ、１１ｅに弾性係止させると、図９（ｂ）に示すように枠体４が器具本体２０に取付けられる。さらに、図９（ｃ）に示すように埋込孔１８を通して反射板３を器具本体２０に取付け、その後片口金ランプ９をランプソケット８に取付ける。最後に、図９（ｄ）に示すように透光パネル５を下側から埋込孔１８に挿通し、係止片５ａを係止ばね１２ｃに係止させると、透光パネル５が枠体４に取付けられ、埋込型照明器具Ａの取付けが完了する。この時、枠体４は図１０に示すように下地材１６及び仕上げ天井１７の側面（埋込孔１８の内面）との間にＤ寸法の間隔を設け、仕上げ天井１７の仕上げ面１７ａ（仕上げ天井１７の下面）と接触していない状態で配置される。
【００２７】
さらに、埋込型照明器具Ａの別の施工例について図１１に基づいて説明する。尚、図１１において、仕上げ天井１７は省略している。まず、下地材１６が施工された状態（仕上げ天井１７を施工する前の状態）において、点灯回路取付台６を上側に回動させた状態で器具本体２０を埋込孔１８に挿通し、さらに点灯回路取付台６を下側に回動させて元の位置に戻す。この状態において、サブボディ２の鍔部２ｃは下地材１６の下面に当接している。次に、取付金具（図示せず）をサブボディ２に設けたスリット２ｇに沿って上下方向に調整して取付金具と鍔部２ｃとの間で下地材１６を挟持させると、器具本体２０の取付けが完了する。以下、上述した施工例と同様の手順で枠体４、反射板３、片口金ランプ９及び透光パネル５を順次取付けると、埋込型照明器具Ａの取付けが完了する。この状態において、図１１に示すようにサブボディ２の鍔部２ｃは下地材１６の下面側に露出しているが、仕上げ天井１７を施工することによって、鍔部２ｃが露出することなく、また仕上げ天井１７の仕上げ面１７ａに当接することなく埋込型照明器具Ａが施工される。
【００２８】
この埋込型照明器具Ａでは、枠体４を係止するための調整金具１１をサブボディ２の主片２ａに対して上下方向に移動自在に設けているので、器具本体２０に対する枠体４の取付位置を下地材１６及び仕上げ天井１７の厚み方向に微調整することができ、枠体４の取付精度を確保することができる。従って、下地材１６及び仕上げ天井１７の厚みや吊ボルト２２等による固定作業の精度に関わらず枠体４を精度よく位置決めできるので、埋込型照明器具Ａを天井に取付けた際の外観を向上させることができる。特に、本実施形態で示したように、枠体４の下面側に外側に突出する鍔部を設けていない場合には、枠体４の下端面を仕上げ天井１７の仕上げ面１７ａに略面一にすることができる。
【００２９】
また、枠体４に設けたＶ字ばね１４は取付リング１３に回動自在に取付けられており、枠体４を仕上げ天井１７に沿った方向に移動させると、取付リング１３が枠体４の移動方向にスライドするので、Ｖ字ばね１４は取付リング１３のスライド方向と反対方向に傾き、傾いた状態で係止ばね部１４ｂ、１４ｂが係止片１１ｄ、１１ｄとそれぞれ係止する。従って、枠体４を器具本体２０に取付けた後であっても、枠体４の位置を仕上げ天井１７に沿った方向に微調整することができる。
【図面の簡単な説明】
【００３０】
【図１】本実施形態の埋込型照明器具の斜視図である。
【図２】同上を下側から見た斜視図である。
【図３】同上の一部破断せる平面図である。
【図４】同上の一部破断せる斜視図である。
【図５】同上に用いられる調整金具の斜視図である。
【図６】同上の枠体の要部詳細斜視図である。
【図７】（ａ）は同上の透光パネルの斜視図である。（ｂ）は同上の透光パネルの要部詳細斜視図である。
【図８】（ａ）は同上の枠体に透光パネルを取付ける際の要部の状態を示す状態図である。（ｂ）は同上の枠体から透光パネルを取り外す際の要部の状態を示す状態図である。
【図９】（ａ）〜（ｄ）は同上を天井に取付ける状態を示す説明図である。
【図１０】同上を天井に取付けた状態における枠体と天井材との位置関係を示す状態図である。
【図１１】同上を天井に取付けた状態の別の例を示す説明図である。
【符号の説明】
【００３１】
１      ボディ
２      サブボディ
２ａ    主片
２ｄ    開口部
２ｅ    長孔
２ｆ    スリット
４      枠体
１１    調整金具（係止部）
１１ｄ  係止片
１１ｅ  係止溝
１４    Ｖ字ばね（弾性係止部材）
１４ｂ  係止ばね部（側片）
１６    下地材
１７    仕上げ天井
１８    埋込孔
２０    器具本体
Ａ      埋込型照明器具
【図１】
2008159474.tif 000003
【図２】
2008159474.tif 000004
【図３】
2008159474.tif 000005
【図４】
2008159474.tif 000006
【図５】
2008159474.tif 000007
【図６】
2008159474.tif 000008
【図７】
2008159474.tif 000009
【図８】
2008159474.tif 000010
【図９】
2008159474.tif 000011
【図１０】
2008159474.tif 000012
【図１１】
2008159474.tif 000013